(57)【要約】【課題】複数の設定値の中から一の設定値の選択を受け付けると共に受け付けた一の設定値を一定の周期で点滅表示させる構成において、ユーザーによる設定値の選択操作が行われるタイミングに関わらず点滅表示の周期を変更しない場合に比べて、ユーザーが自分自身の選択した設定値の表示を見逃すことに伴う操作性の悪化を抑制する。【解決手段】受付部は、複数の設定値の中から一の設定値を選択する操作を受け付ける。表示部７０は、選択された一の設定値を予め定められた周期に沿って点滅させて表示する。表示制御部は、一の設定値の表示が消灯状態である消灯期間内に、複数の設定値に含まれる他の設定値を選択する操作が行われると、他の設定値を点灯状態で表示部７０に表示させ、点灯状態を定められた時間継続させる。【選択図】図６
2018154026.tif 000002
【特許請求の範囲】
【請求項１】
複数の設定値の中から一の設定値を選択する操作を受け付ける受付部と、
前記選択された一の設定値を予め定められた周期に沿って点滅させて表示する表示部と、
前記一の設定値の表示が消灯状態である消灯期間内に、前記複数の設定値に含まれる他の設定値を選択する操作が受け付けられると、前記他の設定値を点灯状態で前記表示部に表示させ、前記点灯状態を定められた時間継続させる表示制御部と
を備える設定装置。
【請求項２】
前記定められた時間は、前記予め定められた周期に含まれる点灯時間より短い
請求項１に記載の設定装置。
【請求項３】
前記表示制御部は、前記定められた時間が経過すると、前記他の設定値の表示を前記点灯状態から前記消灯状態に移行させ、前記予め定められた周期において前記他の設定値を選択する操作が行われた時点を含む消灯時間の終了時点から、前記定められた時間経過すると、前記他の設定値の表示を前記消灯状態から前記点灯状態に移行させる
請求項１又は２に記載の設定装置。
【請求項４】
前記他の設定値の表示が前記消灯状態である時間は、前記他の設定値の表示が前記点灯状態から前記消灯状態に移行した時点と、前記終了時点との間の時間によって変化する
請求項３に記載の設定装置。
【請求項５】
前記他の設定値の表示が前記消灯状態である時間は、０より大きく前記予め定められた周期に含まれる消灯時間より小さい
請求項３に記載の設定装置。
【請求項６】
前記操作は、キーの長押しであり、
前記キーが長押しされている間、前記複数の設定値が順番に選択され、
前記表示部は、前記キーが長押しされている間、前記選択された設定値を前記点灯状態で順番に表示し、
前記表示制御部は、前記キーの長押しが終了すると、前記複数の設定値のうち最後に選択された設定値の表示を前記点灯状態から前記消灯状態に移行させ、前記消灯状態を前記定められた時間継続させる
請求項１から５のいずれか１項に記載の設定装置。
【請求項７】
前記表示制御部は、予め定められた条件を満たす場合には、前記複数の設定値のうち最後に選択された設定値の表示を、前記予め定められた周期よりも短い周期に沿って予め定められた回数点滅させ、
前記最後に選択された設定値の点滅が終了した時点から猶予時間が経過すると、前記最後に選択された設定値を設定する設定部をさらに備える
請求項１から６のいずれか１項に記載の設定装置。
【請求項８】
前記操作は、キーの押下であり、
前記キーが押下される度に、前記複数の設定値が順番に選択され、
前記表示制御部は、前記キーが最後に押下されてから第１猶予時間が経過すると、前記最後に選択された設定値の表示を、前記短い周期に沿って前記予め定められた回数点滅させ、
前記設定部は、前記最後に選択された設定値の点滅が終了した時点から、第２猶予時間が経過すると、前記最後に選択された設定値を設定する
請求項７に記載の設定装置。
【請求項９】
前記操作は、キーの長押しであり、
前記キーが長押しされている間、前記複数の設定値が順番に選択され、
前記表示部は、前記キーが長押しされている間、前記選択された設定値を前記点灯状態で順番に表示し、
前記表示制御部は、前記キーの長押しが終了すると、前記最後に選択された設定値の表示を、前記点灯状態から前記消灯状態に移行させ、前記短い周期に沿って前記予め定められた回数点滅させる
請求項７に記載の設定装置。
【請求項１０】
複数の設定値の中から一の設定値を選択する操作を受け付ける受付部と、
前記選択された一の設定値を予め定められた周期に沿って点滅させて表示する表示部と、
前記一の設定値の表示が点灯状態である点灯期間内に、前記複数の設定値に含まれる他の設定値を選択する操作が受け付けられ、当該操作が行われた第１時点が、前記予め定められた周期において前記第１時点を含む点灯時間が終了する第２時点から予め定められた時間範囲内である場合には、前記第１時点から定められた時間、前記他の設定値を点灯状態で前記表示部に表示させる表示制御部と
を備える設定装置。
【請求項１１】
コンピュータに、
複数の設定値の中から一の設定値を選択する操作を受け付けるステップと、
前記選択された一の設定値を予め定められた周期に沿って点滅させて表示部に表示するステップと、
前記一の設定値の表示が消灯状態である消灯期間内に、前記複数の設定値に含まれる他の設定値を選択する操作が受け付けられると、前記他の設定値を点灯状態で前記表示部に表示させ、前記点灯状態を定められた時間継続させるステップと
を実行させるためのプログラム。
【発明の詳細な説明】
【技術分野】
【０００１】
本発明は、設定装置及びプログラムに関する。
【背景技術】
【０００２】
入力装置及び出力装置を用いて、各種の設定値を設定する技術が知られている。例えば特許文献１には、モードキーが押されると、表示中の設定項目の表示をＯＦＦとし、次の新しい設定項目の表示を点滅ＯＮから開始させることが記載されている。
【先行技術文献】
【特許文献】
【０００３】
【特許文献１】特開平０１−５１８２５号公報
【発明の概要】
【発明が解決しようとする課題】
【０００４】
本発明は、複数の設定値の中から一の設定値の選択を受け付けると共に受け付けた一の設定値を一定の周期で点滅表示させる構成において、ユーザーによる設定値の選択操作が行われるタイミングに関わらず点滅表示の周期を変更しない場合に比べて、ユーザーが自分自身の選択した設定値の表示を見逃すことに伴う操作性の悪化を抑制することを目的とする。
【課題を解決するための手段】
【０００５】
請求項１に係る発明は、複数の設定値の中から一の設定値を選択する操作を受け付ける受付部と、前記選択された一の設定値を予め定められた周期に沿って点滅させて表示する表示部と、前記一の設定値の表示が消灯状態である消灯期間内に、前記複数の設定値に含まれる他の設定値を選択する操作が受け付けられると、前記他の設定値を点灯状態で前記表示部に表示させ、前記点灯状態を定められた時間継続させる表示制御部とを備える設定装置である。
【０００６】
請求項２に係る発明は、請求項１に記載の設定装置において、前記定められた時間は、前記予め定められた周期に含まれる点灯時間より短い。
【０００７】
請求項３に係る発明は、請求項１又は２に記載の設定装置において、前記表示制御部は、前記定められた時間が経過すると、前記他の設定値の表示を前記点灯状態から前記消灯状態に移行させ、前記予め定められた周期において前記他の設定値を選択する操作が行われた時点を含む消灯時間の終了時点から、前記定められた時間経過すると、前記他の設定値の表示を前記消灯状態から前記点灯状態に移行させる。
【０００８】
請求項４に係る発明は、請求項３に記載の設定装置において、前記他の設定値の表示が前記消灯状態である時間は、前記他の設定値の表示が前記点灯状態から前記消灯状態に移行した時点と、前記終了時点との間の時間によって変化する。
【０００９】
請求項５に係る発明は、請求項３に記載の設定装置において、前記他の設定値の表示が前記消灯状態である時間は、０より大きく前記予め定められた周期に含まれる消灯時間より小さい。
【００１０】
請求項６に係る発明は、請求項１から５のいずれか１項に記載の設定装置において、前記操作は、キーの長押しであり、前記キーが長押しされている間、前記複数の設定値が順番に選択され、前記表示部は、前記キーが長押しされている間、前記選択された設定値を前記点灯状態で順番に表示し、前記表示制御部は、前記キーの長押しが終了すると、前記複数の設定値のうち最後に選択された設定値の表示を前記点灯状態から前記消灯状態に移行させ、前記消灯状態を前記定められた時間継続させる。
【００１１】
請求項７に係る発明は、請求項１から６のいずれか１項に記載の設定装置において、前記表示制御部は、予め定められた条件を満たす場合には、前記複数の設定値のうち最後に選択された設定値の表示を、前記予め定められた周期よりも短い周期に沿って予め定められた回数点滅させ、前記最後に選択された設定値の点滅が終了した時点から猶予時間が経過すると、前記最後に選択された設定値を設定する設定部をさらに備える。
【００１２】
請求項８に係る発明は、請求項７に記載の設定装置において、前記操作は、キーの押下であり、前記キーが押下される度に、前記複数の設定値が順番に選択され、前記表示制御部は、前記キーが最後に押下されてから第１猶予時間が経過すると、前記最後に選択された設定値の表示を、前記短い周期に沿って前記予め定められた回数点滅させ、前記設定部は、前記最後に選択された設定値の点滅が終了した時点から、第２猶予時間が経過すると、前記最後に選択された設定値を設定する。
【００１３】
請求項９に係る発明は、請求項７に記載の設定装置において、前記操作は、キーの長押しであり、前記キーが長押しされている間、前記複数の設定値が順番に選択され、前記表示部は、前記キーが長押しされている間、前記選択された設定値を前記点灯状態で順番に表示し、前記表示制御部は、前記キーの長押しが終了すると、前記最後に選択された設定値の表示を、前記点灯状態から前記消灯状態に移行させ、前記短い周期に沿って前記予め定められた回数点滅させる。
【００１４】
請求項１０に係る発明は、複数の設定値の中から一の設定値を選択する操作を受け付ける受付部と、前記選択された一の設定値を予め定められた周期に沿って点滅させて表示する表示部と、前記一の設定値の表示が点灯状態である点灯期間内に、前記複数の設定値に含まれる他の設定値を選択する操作が受け付けられ、当該操作が行われた第１時点が、前記予め定められた周期において前記第１時点を含む点灯時間が終了する第２時点から予め定められた時間範囲内である場合には、前記第１時点から定められた時間、前記他の設定値を点灯状態で前記表示部に表示させる表示制御部とを備える設定装置である。
【００１５】
請求項１１に係る発明は、コンピュータに、複数の設定値の中から一の設定値を選択する操作を受け付けるステップと、前記選択された一の設定値を予め定められた周期に沿って点滅させて表示部に表示するステップと、前記一の設定値の表示が消灯状態である消灯期間内に、前記複数の設定値に含まれる他の設定値を選択する操作が受け付けられると、前記他の設定値を点灯状態で前記表示部に表示させ、前記点灯状態を定められた時間継続させるステップとを実行させるためのプログラムである。
【発明の効果】
【００１６】
請求項１に係る発明によれば、複数の設定値の中から一の設定値の選択を受け付けると共に受け付けた一の設定値を一定の周期で点滅表示させる構成において、ユーザーによる設定値の選択操作が行われるタイミングに関わらず点滅表示の周期を変更しない場合に比べて、ユーザーが自分自身の選択した設定値の表示を見逃すことに伴う操作性の悪化を抑制することができる。
請求項２に係る発明によれば、設定値の選択中であることをユーザーに認識させることができる。
請求項３に係る発明によれば、予め定められた周期を定められた時間だけシフトすることができる。
請求項４に係る発明によれば、予め定められた周期を定められた時間だけシフトすることができる。
請求項５に係る発明によれば、予め定められた周期を定められた時間だけシフトすることができる。
請求項６に係る発明によれば、設定値の選択中であることをユーザーに認識させることができる。
請求項７に係る発明によれば、設定値を設定する操作の手間を省くことができる。
請求項８に係る発明によれば、キーの押下により最後に設定された設定値を設定する操作の手間を省くことができる。
請求項９に係る発明によれば、キーの長押しにより最後に設定された設定値を設定する操作の手間を省くことができる。
請求項１０に係る発明によれば、予め定められた周期において点灯状態の終了時点直前に操作を行った場合であっても、その操作に応じて選択された他の設定値をユーザーが視認することができる。
請求項１１に係る発明によれば、複数の設定値の中から一の設定値の選択を受け付けると共に受け付けた一の設定値を一定の周期で点滅表示させる構成において、ユーザーによる設定値の選択操作が行われるタイミングに関わらず点滅表示の周期を変更しない場合に比べて、ユーザーが自分自身の選択した設定値の表示を見逃すことに伴う操作性の悪化を抑制することができる。
【図面の簡単な説明】
【００１７】
【図１】実施形態に係る画像処理装置１の一例を示す図。
【図２】ユーザーインタフェース部５０の一例を示す図。
【図３】画像処理装置１の機能構成の一例を示す図。
【図４】用紙サイズを設定する動作を示すフローチャート。
【図５】用紙サイズの選択動作を示すタイミングチャートの一例を示す図。
【図６】用紙サイズの選択動作を示すタイミングチャートの別の例を示す図。
【図７】用紙サイズの選択動作を示すタイミングチャートの別の例を示す図。
【図８】用紙サイズの選択動作を示すタイミングチャートの別の例を示す図。
【図９】用紙サイズの選択動作を示すタイミングチャートの別の例を示す図。
【図１０】用紙サイズの選択動作を示すタイミングチャートの別の例を示す図。
【図１１】用紙サイズの選択動作を示すタイミングチャートの別の例を示す図。
【図１２】用紙サイズの選択動作を示すタイミングチャートの別の例を示す図。
【図１３】従来技術に係る用紙サイズの選択動作を示すタイミングチャートの一例を示す図。
【図１４】変形例に係る用紙サイズの選択動作を示すタイミングチャートの一例を示す図。
【図１５】変形例に係る用紙サイズの選択動作を示すタイミングチャートの一例を示す図。
【図１６】変形例に係る用紙サイズの選択動作を示すタイミングチャートの一例を示す図。
【図１７】変形例に係る用紙サイズの選択動作を示すタイミングチャートの一例を示す図。
【発明を実施するための形態】
【００１８】
構成
図１は、本実施形態に係る画像処理装置１の一例を示す図である。画像処理装置１は、画像に関する処理を行う装置である。この処理には、プリント、コピー、スキャン、又はファクシミリが含まれてもよい。画像処理装置１は、例えばプリンターであってもよい。
【００１９】
画像処理装置１は、制御部１０と、記憶部２０と、計時部３０と、画像形成部４０と、ユーザーインタフェース部５０とを備える。制御部１０は、プロセッサーと、メモリーとを備える。プロセッサーは、プログラムをメモリーに読み出して実行することにより、各種の処理を実行する。プロセッサーとしては、例えばＣＰＵ（Central Processing Unit）が用いられてもよい。メモリーは、プロセッサーにより実行されるプログラムを記憶する。メモリーとしては、例えばＲＯＭ（Read Only Memory）、ＲＡＭ（Random Access Memory）、又はこれらの組み合わせが用いられてもよい。記憶部２０は、各種のデータ及びプログラムを記憶する。記憶部２０としては、例えばハードディスク、フラッシュメモリー、又はこれらの組み合わせが用いられてもよい。計時部３０は、時間を計測する。計時部３０としては、例えばリアルタイムクロックが用いられてもよい。
【００２０】
画像形成部４０は、用紙等の媒体上に画像を形成する。画像を形成する方式としては、例えば電子写真方式が用いられてもよい。ただし、画像を形成する方式は、電子写真方式に限定されず、他の方式であってもよい。ユーザーインタフェース部５０は、操作部６０と、表示部７０とを備える。操作部６０は、画像処理装置１の操作に用いられる。操作部６０としては、例えば物理ボタンが用いられてもよい。表示部７０は、各種の情報を表示する。表示部７０としては、例えば７セグメントＬＥＤ（light emitting diode）が用いられてもよい。
【００２１】
図２は、ユーザーインタフェース部５０の一例を示す図である。この例では、操作部６０には、設定ボタン６１と、スタートボタン６２とが含まれる。これらの設定ボタン６１及びスタートボタン６２は、キーの一例である。設定ボタン６１は、用紙サイズを設定する操作に用いられる。スタートボタン６２は、各種の処理を実行する操作に用いられる。表示部７０には、用紙サイズが表示される領域７１が含まれる。
【００２２】
なお、この例では、画像処理装置１の製造コストの削減等の理由により、ユーザーインタフェース部５０には、タッチパネルは設けられておらず、物理ボタンのみが設けられている。また、表示部７０の表示能力、例えば画面サイズや文字又は図形の表現力も限られている。
【００２３】
図３は、画像処理装置１の機能構成の一例を示す図である。画像処理装置１は、受付部１０１と、選択部１０２と、表示制御部１０３と、設定部１０４として機能する。画像処理装置１は、設定装置の一例である。これらの機能構成は、メモリーに記憶されたプログラムと、このプログラムを実行するプロセッサーとの協働によって実現される。
【００２４】
受付部１０１は、複数の設定値の中から一の設定値を選択する操作を受け付ける。この設定値は、例えば画像形成部４０により画像が形成される用紙のサイズである。ただし、設定値は、用紙のサイズに限定されず、画像処理の条件を示す他の値であってもよい。
【００２５】
選択部１０２は、受付部１０１により受け付けられた操作に応じて、一の設定値を選択する。選択部１０２により選択された設定値は、予め定められた周期に沿って点滅して表示部７０に表示される。この予め定められた周期は、例えば計時部３０により計測される。
【００２６】
表示制御部１０３は、選択部１０２により選択された設定値の表示が消灯状態である点灯期間内に、他の設定値を選択する操作が行われると、他の設定値を点灯状態で表示部７０に表示させ、点灯状態を定められた時間継続させる。この定められた時間は、例えば計時部３０により計測される。設定部１０４は、最後に選択された設定値を設定する。
【００２７】
動作
ここでは、ユーザーがユーザーインタフェース部５０を用いて、用紙サイズを設定する場合を想定する。図４は、用紙サイズを設定する動作を示すフローチャートである。
【００２８】
ステップＳ１０１において、画像処理装置１は、ユーザーの操作に応じて、用紙サイズの設定モードに移行する。この操作は、例えば図２に示す設定ボタン６１の長押しである。この長押しの時間は、例えば１．５秒であってもよいし、２秒であってもよい。用紙サイズの設定モードに移行すると、表示部７０は、領域７１に表示された現状の用紙サイズを内部周期に沿って点滅させる。この内部周期は、計時部３０により計測される。内部周期は、例えばユーザーにちらつきを感じさせないような周期である。ここでは、内部周期は、１Ｈｚである場合を想定する。この場合、内部周期に含まれる点灯時間は５００ｍｓｅｃとなり、消灯時間は５００ｍｓｅｃとなる。用紙サイズの点滅は、用紙サイズが選択中であることを意味する。すなわち、用紙サイズの点滅は、用紙サイズの設定が完了していないことを意味する。
【００２９】
ステップＳ１０２において、選択部１０２は、ユーザーの操作に応じて、複数の用紙サイズの中から一の用紙サイズを選択する。この操作は、例えば設定ボタン６１の押下であり、受付部１０１により受け付けられる。例えば設定ボタン６１が押下される度に、複数の用紙サイズが順番に選択されてもよい。ここでは、この順番は、Ａ３、Ａ４縦、Ａ４横、Ｂ４、・・・、レターサイズ横という順番であり、レターサイズ横の次はＡ３に戻る。例えば、現状の用紙サイズが「Ａ３」である場合、設定ボタン６１が押されると、次の用紙サイズ「Ａ４縦」が選択される。さらに設定ボタン６１が押されると、次の用紙サイズ「Ａ４横」が選択される。
【００３０】
表示制御部１０３は、選択部１０２により新たな用紙サイズが選択されると、この用紙サイズを領域７１に表示させる。このとき、用紙サイズの表示は、設定ボタン６１が押下されたタイミング又は設定ボタン６１の押下が終了したタイミングによって変化する。例えば表示制御部１０３は、ユーザーが新たに選択された用紙サイズをすぐに視認できると共に、この用紙サイズは選択中であり、この用紙サイズの設定が完了したわけではないことを認識し易いように、新たに選択された用紙サイズの表示を行う。
【００３１】
ステップＳ１０３において、設定部１０４は、ユーザーの操作に応じて、ステップＳ１０２において選択された用紙サイズを設定する。この操作は、例えば図２に示すスタートボタン６２を押下である。例えば、ステップＳ１０２において最後に選択された用紙サイズが「Ａ４横」である場合、スタートボタン６２の押下に応じて、この用紙サイズ「Ａ４横」が設定される。このように用紙サイズが設定されると、領域７１に表示された用紙サイズの点滅が終了する。これにより、領域７１には、設定された用紙サイズが常に点灯状態で表示される。以下、図５〜図１２を参照して、用紙サイズの選択動作について、詳細に説明する。
【００３２】
点灯期間に設定ボタン６１が押下された場合
図５は、この場合の用紙サイズの選択動作を示すタイミングチャートの一例を示す図である。ここでは、領域７１には、用紙サイズ「Ａ３」が内部周期に沿って点滅して表示されている場合を想定する。用紙サイズ「Ａ３」の表示が点灯状態である点灯期間内の時刻ｔ１において、設定ボタン６１が押下されると、選択部１０２は、次の用紙サイズ「Ａ４縦」を選択する。この場合、表示制御部１０３は、領域７１に表示された用紙サイズ「Ａ３」をこの用紙サイズ「Ａ４縦」に変更する。なお、この例では、用紙サイズの「縦」又は「横」は、図形により表現される。以後、設定ボタン６１が押下されない限り、領域７１に表示された用紙サイズ「Ａ４縦」は、内部周期に沿って点滅する。
【００３３】
消灯期間に設定ボタン６１が押下された場合（例１‐１）
図６は、この場合の用紙サイズの選択動作を示すタイミングチャートの一例を示す図である。ここでは、領域７１には、用紙サイズ「Ａ４縦」が内部周期に沿って点滅して表示されている場合を想定する。用紙サイズ「Ａ４縦」の表示が消灯状態である消灯期間内の時刻ｔ２において、設定ボタン６１が押下されると、選択部１０２は、次の用紙サイズ「Ａ４横」を選択する。この場合、表示制御部１０３は、この用紙サイズ「Ａ４横」を点灯状態で領域７１に表示させる。表示制御部１０３は、時刻ｔ２から定められた時間、点灯状態での用紙サイズ「Ａ４横」の表示を継続させる。この定められた時間は、内部周期に含まれる点灯時間、すなわち５００ｍｓｅｃよりも短い時間である。例えば定められた時間は、内部周期の２分の１以下の時間である。ここでは、定められた時間は３００ｍｓｅｃであるものとする。時刻ｔ２から３００ｍｓｅｃ経過した時刻ｔ３において、表示制御部１０３は、用紙サイズ「Ａ４横」の表示を点灯状態から消灯状態に移行させる。以後、設定ボタン６１が押下されない限り、領域７１に表示された用紙サイズ「Ａ４横」は、内部周期に沿って点滅する。
【００３４】
消灯期間に設定ボタン６１が押下された場合（例１‐２）
図７は、この場合の用紙サイズの選択動作を示すタイミングチャートの別の例を示す図である。ここでは、領域７１には、用紙サイズ「Ａ４縦」が内部周期に沿って点滅して表示されている場合を想定する。時刻ｔ４において、この用紙サイズ「Ａ４縦」の表示は、内部周期に沿って消灯状態に移行する。時刻ｔ４から１０ｍｓｅｃ経過した時刻ｔ５において設定ボタン６１が押下されると、選択部１０２は、次の用紙サイズ「Ａ４横」を選択する。この時刻ｔ５は、内部周期において点灯時間が終了した時刻ｔ４の直後の時点の一例である。この場合、表示制御部１０３は、この用紙サイズ「Ａ４横」を点灯状態で領域７１に表示させる。表示制御部１０３は、時刻ｔ５から３００ｍｓｅｃの間、点灯状態での用紙サイズ「Ａ４横」の表示を継続させる。時刻ｔ５から３００ｍｓｅｃが経過した時刻ｔ６において、表示制御部１０３は、用紙サイズ「Ａ４横」の表示を点灯状態から消灯状態に移行させる。以後、設定ボタン６１が押下されない限り、領域７１に表示された用紙サイズ「Ａ４横」は、内部周期に沿って点滅する。
【００３５】
消灯期間に設定ボタン６１が押下された場合（例１‐３）
図８は、この場合の用紙サイズの選択動作を示すタイミングチャートの別の例を示す図である。ここでは、領域７１には、用紙サイズ「Ａ４縦」が内部周期に沿って点滅して表示されている場合を想定する。時刻ｔ４において、この用紙サイズ「Ａ４縦」の表示は、内部周期に沿って消灯状態に移行する。時刻ｔ４から４９０ｍｓｅｃ経過した時刻ｔ７において設定ボタン６１が押下されると、選択部１０２は、次の用紙サイズ「Ａ４横」を選択する。この時刻ｔ７は、内部周期において時刻ｔ４から開始された消灯時間が終了する時点の直前の時点の一例である。この場合、表示制御部１０３は、この用紙サイズ「Ａ４横」を点灯状態で領域７１に表示させる。表示制御部１０３は、時刻ｔ７から３００ｍｓｅｃの間、点灯状態での用紙サイズ「Ａ４横」の表示を継続させる。時刻ｔ７から３００ｍｓｅｃが経過した時刻ｔ８において、表示制御部１０３は、用紙サイズ「Ａ４横」の表示を点灯状態から消灯状態に移行させる。以後、設定ボタン６１が押下されない限り、領域７１に表示された用紙サイズ「Ａ４横」は、内部周期に沿って点滅する。
【００３６】
消灯期間に設定ボタン６１が押下された場合（例２‐１）
図９は、この場合の用紙サイズの選択動作を示すタイミングチャートの別の例を示す図である。ここでは、領域７１には、用紙サイズ「Ａ４縦」が内部周期に沿って点滅して表示されている場合を想定する。用紙サイズ「Ａ４縦」の表示が消灯状態である消灯期間内の時刻ｔ９において、設定ボタン６１が押下されると、選択部１０２は、次の用紙サイズ「Ａ４横」を選択する。この場合、表示制御部１０３は、この用紙サイズ「Ａ４横」を点灯状態で領域７１に表示させる。表示制御部１０３は、時刻ｔ９から３００ｍｓｅｃの間、点灯状態での用紙サイズ「Ａ４横」の表示を継続させる。時刻ｔ９から３００ｍｓｅｃが経過した時刻ｔ１０において、表示制御部１０３は、用紙サイズ「Ａ４横」の表示を点灯状態から消灯状態に移行させる。この時刻ｔ１０は、内部周期において、時刻ｔ９を含む消灯時間が終了する時刻１１より前である。表示制御部１０３は、時刻ｔ１１から３００ｍｓｅｃが経過するまで、用紙サイズ「Ａ４横」が表示されない消灯状態を継続する。時刻ｔ１１から３００ｍｓｅｃが経過した時刻ｔ１２において、表示制御部１０３は、用紙サイズ「Ａ４横」の表示を消灯状態から点灯状態に移行させる。以後、設定ボタン６１が押下されない限り、領域７１に表示された用紙サイズ「Ａ４横」は、内部周期に沿って点滅する。
【００３７】
消灯期間に設定ボタン６１が押下された場合（例２‐２）
図１０は、この場合の用紙サイズの選択動作を示すタイミングチャートの別の例を示す図である。ここでは、領域７１には、用紙サイズ「Ａ４縦」が内部周期に沿って点滅した状態で表示されている場合を想定する。用紙サイズ「Ａ４縦」の表示が消灯状態である消灯期間内の時刻ｔ１３において、設定ボタン６１が押下されると、選択部１０２は、次の用紙サイズ「Ａ４横」を選択する。この場合、表示制御部１０３は、この用紙サイズ「Ａ４横」を点灯状態で領域７１に表示させる。表示制御部１０３は、時刻ｔ１３から３００ｍｓｅｃの間、点灯状態での用紙サイズ「Ａ４横」の表示を継続させる。時刻ｔ１３から３００ｍｓｅｃが経過した時刻ｔ１５において、表示制御部１０３は、用紙サイズ「Ａ４横」の表示を点灯状態から消灯状態に移行させる。この時刻ｔ１５は、内部周期において時刻ｔ１３を含む消灯時間が終了する時刻ｔ１４より後である。表示制御部１０３は、時刻ｔ１４から３００ｍｓｅｃが経過するまで、用紙サイズ「Ａ４横」が表示されない消灯状態を継続する。時刻ｔ１４から３００ｍｓｅｃが経過した時刻ｔ１６において、表示制御部１０３は、用紙サイズ「Ａ４横」の表示を消灯状態から点灯状態に移行させる。以後、設定ボタン６１が押下されない限り、領域７１に表示された用紙サイズ「Ａ４横」は、内部周期に沿って点滅する。
【００３８】
なお、上述した例２‐１及び例２‐２では、消灯期間に選択された用紙サイズの表示の最初の消灯時間は、その用紙サイズの表示が最初に点灯状態から消灯状態に移行した時点と、内部周期においてその用紙サイズを選択する操作が行われた時点を含む消灯時間の終了時点との間の時間によって変化する。例えば上述した例２‐１において、図９に示す時刻ｔ１０と時刻ｔ１１との間の時間が１０ｍｓｅｃである場合、最初の消灯時間は、３００ｍｓｅｃに１０ｍｓｅｃを加えた時間、すなわち３１０ｍｓｅｃになる。一方、図９に示す時刻ｔ１０と時刻ｔ１１との間の時間が１００ｍｓｅｃである場合、最初の消灯時間は、３００ｍｓｅｃに１００ｍｓｅｃを加えた時間、すなわち４００ｍｓｅｃになる。また、例えば上述した例２‐２において、図１０に示す時刻ｔ１４と時刻ｔ１５との間の時間が１０ｍｓｅｃである場合、最初の消灯時間は、３００ｍｓｅｃから１０ｍｓｅｃを減じた時間、すなわち２９０ｍｓｅｃになる。一方、図１０に示す時刻ｔ１４と時刻ｔ１５との間の時間が１００ｍｓｅｃである場合、最初の消灯時間は、３００ｍｓｅｃから１００ｍｓｅｃを減じた時間、すなわち２００ｍｓｅｃになる。いずれの場合も、最初の消灯時間は、０より大きく、５００ｍｓｅｃより小さい時間になる。
【００３９】
長押しにより用紙サイズを選択（例１）
用紙サイズの選択は、設定ボタン６１の長押しにより行われてもよい。この長押しとは、設定ボタン６１を予め定められた時間継続して押下することをいう。例えば設定ボタン６１が長押しされている間、複数の用紙サイズが予め定められた時間間隔で順番に選択されてもよい。ここでは、予め定められた時間間隔は、５００ｍｓｅｃであるものとする。また、この順番は、Ａ３、Ａ４縦、Ａ４横、Ｂ４、・・・、レターサイズ横という順番であり、レターサイズ横の次はＡ３に戻る。
【００４０】
図１１は、この場合の用紙サイズの選択動作を示すタイミングチャートの一例を示す図である。ここでは、領域７１には、用紙サイズ「Ａ３」が内部周期に沿って点滅して表示されている場合を想定する。時刻ｔ１７において設定ボタン６１が長押しされると、設定ボタン６１が長押しされている間、５００ｍｓｅｃ毎に次の用紙サイズが選択され、領域７１に表示された用紙サイズが次の用紙サイズに変更される。
【００４１】
具体的には、時刻ｔ１７において、選択部１０２は、次の用紙サイズ「Ａ４縦」を選択する。表示制御部１０３は、領域７１に表示された用紙サイズ「Ａ３」をこの用紙サイズ「Ａ４縦」に変更する。時刻ｔ１７から５００ｍｓｅｃが経過した時刻ｔ１８において、選択部１０２は、次の用紙サイズ「Ａ４横」を選択する。表示制御部１０３は、領域７１に表示された用紙サイズ「Ａ４縦」をこの用紙サイズ「Ａ４横」に変更する。時刻ｔ１９において、設定ボタン６１の長押しが終了すると、表示制御部１０３は、用紙サイズ「Ａ４横」の表示を点灯状態から消灯状態に移行させる。これは、用紙サイズ「Ａ４横」が選択中であり、この用紙サイズが設定されたわけではないことをユーザーに認識させるためである。この時刻ｔ１９は、内部周期において点灯時間に含まれる。この場合、表示制御部１０３は、用紙サイズ「Ａ４横」が表示されない消灯状態を３００ｍｓｅｃ継続させる。時刻ｔ１９から３００ｍｓｅｃが経過した時刻ｔ２０において、表示制御部１０３は、用紙サイズ「Ａ４横」の表示を消灯状態から点灯状態に移行させる。この場合、用紙サイズ「Ａ４横」の表示が内部周期に沿って点滅する場合に比べて、選択中の用紙サイズ「Ａ４横」が早く視認される。以後、設定ボタン６１が押下されない限り、領域７１に表示された用紙サイズ「Ａ４横」は、内部周期に沿って点滅する。
【００４２】
長押しにより用紙サイズを選択（例２）
図１２は、この場合の用紙サイズの選択動作を示すタイミングチャートの別の例を示す図である。ここでは、領域７１には、用紙サイズ「Ａ３」が内部周期に沿って点滅して表示されている場合を想定する。時刻ｔ１７において設定ボタン６１が長押しされると、設定ボタン６１が押下されている期間、５００ｍｓｅｃ毎に次の用紙サイズを選択され、領域７１に表示された用紙サイズが次の用紙サイズに変更される。
【００４３】
具体的には、時刻ｔ１７において、選択部１０２は、次の用紙サイズ「Ａ４縦」を選択する。表示制御部１０３は、領域７１に表示された用紙サイズ「Ａ３」をこの用紙サイズ「Ａ４縦」に変更する。時刻ｔ２１において、設定ボタン６１の押下が終了すると、表示制御部１０３は、用紙サイズ「Ａ４縦」の表示を点灯状態から消灯状態に移行させる。これは、用紙サイズ「Ａ４縦」が選択中であり、この用紙サイズが設定されたわけではないことをユーザーに認識させるためである。この時刻ｔ２１は、内部周期において消灯時間に含まれる。この場合、表示制御部１０３は、用紙サイズ「Ａ４縦」が表示されない消灯状態を３００ｍｓｅｃ継続させる。時刻ｔ２１から３００ｍｓｅｃが経過した時刻ｔ２２において、表示制御部１０３は、用紙サイズ「Ａ４縦」が表示を消灯状態から点灯状態に移行させる。この場合、用紙サイズ「Ａ４縦」の表示が内部周期に沿って点滅する場合に比べて、選択中の用紙サイズ「Ａ４縦」が早く視認される。以後、設定ボタン６１が押下されない限り、領域７１に表示された用紙サイズ「Ａ４縦」は、内部周期に沿って点滅する。
【００４４】
従来技術
図１３は、従来技術における用紙サイズの選択動作を示すタイミングチャートの一例を示す図である。ここでは、領域７１には、用紙サイズ「Ａ４縦」が内部周期に沿って点滅して表示されており、ユーザーは、用紙サイズ「Ａ４横」を設定したい場合を想定する。用紙サイズ「Ａ４縦」の表示が消灯状態である消灯期間内の時刻ｔ２３において、設定ボタン６１が押下されると、選択部１０２は、次の用紙サイズ「Ａ４横」を選択する。しかし、表示制御部１０３は、内部周期に沿ってこの用紙サイズ「Ａ４横」の表示を消灯状態にする。そのため、領域７１には、この用紙サイズ「Ａ４横」が表示されない。この場合、ユーザーは、用紙サイズ「Ａ４横」が選択されたことを認識することができない。そのため、ユーザーは、用紙サイズ「Ａ４横」が選択されていないと誤認し、用紙サイズ「Ａ４横」の表示が消灯状態である期間内の時刻ｔ２４において、再び設定ボタン６１を押下する可能性がある。この場合、選択部１０２は、次の用紙サイズ「Ｂ４横」を選択する。表示制御部１０３は、内部周期に沿って、時刻ｔ２５にこの用紙サイズ「Ｂ４横」を点灯状態で領域７１に表示させる。この場合、所望の用紙サイズ「Ａ４横」は過ぎてしまっているため、この用紙サイズ「Ａ４横」を選択するには、ユーザーは設定ボタン６１を何度も押さなくてはならず、煩わしい。
【００４５】
上述した実施形態によれば、消灯期間内に設定ボタン６１が押下された場合にも、その操作に応じて選択された用紙サイズがすぐに点灯状態で表示されるため、この用紙サイズはユーザーによりすぐに視認される。そのため、このような場合に従来技術で生じていたユーザーの誤認が防止され、このような誤認に伴う操作性の悪化が抑制される。これにより、設定値を選択する操作の操作性が向上する。
【００４６】
変形例
上述した実施形態は、本発明の一例である。上述した実施形態に対し、種々の変形がなされてもよい。また、以下の変形例が組み合わせて実施されてもよい。
【００４７】
変形例１
上述した実施形態において、点灯期間内において、内部周期の点灯時間の終了時点から予め定められた時間範囲内に設定ボタン６１が押下された場合、以下のように用紙サイズが表示されてもよい。この時間範囲は、例えば１００ｍｓｅｃである。
【００４８】
図１４は、この場合の用紙サイズの選択動作を示すタイミングチャートの一例を示す図である。ここでは、領域７１には、用紙サイズ「Ａ３」が内部周期に沿って点滅して表示されている場合を想定する。用紙サイズ「Ａ３」の表示が点灯状態である点灯期間内の時刻ｔ２６（第１の時点の一例）において、設定ボタン６１が押下されると、選択部１０２は、次の用紙サイズ「Ａ４縦」を選択する。この時刻ｔ２６は、内部周期において時刻ｔ２６を含む点灯時間が終了する時刻ｔ２７（第２の時点の一例）から１００ｍｓｅｃ以内の時刻である。この時刻ｔ２６は、内部周期においてこの点灯時間が終了する直前の時点の一例である。この場合、表示制御部１０３は、領域７１に表示された用紙サイズ「Ａ３」をこの用紙サイズ「Ａ４縦」に変更し、時刻ｔ２６から３００ｍｓｅｃの間、点灯状態での用紙サイズ「Ａ４縦」の表示を継続させる。時刻ｔ２６から３００ｍｓｅｃが経過した時刻ｔ２８において、表示制御部１０３は、用紙サイズ「Ａ４縦」の表示を点灯状態から消灯状態に移行させる。以後、設定ボタン６１が押下されない限り、領域７１に表示された用紙サイズ「Ａ４縦」は、内部周期に沿って点滅する。
【００４９】
この変形例によれば、内部周期の点灯時間の終了直前に設定ボタン６１が押下された場合には、点灯期間が延長される。これにより、内部周期の点灯時間の終了直前に設定ボタン６１が押下された場合であっても、その操作に応じて選択された新たな用紙サイズがユーザーに視認される。
【００５０】
図１５は、この場合の用紙サイズの選択動作を示すタイミングチャートの別の例を示す図である。ここでは、領域７１には、用紙サイズ「Ａ３」が内部周期に沿って点滅して表示されている場合を想定する。用紙サイズ「Ａ３」の表示が点灯状態である点灯期間内の時刻ｔ２６において、設定ボタン６１が押下されると、選択部１０２は、次の用紙サイズ「Ａ４縦」を選択する。この時刻ｔ２６は、内部周期において時刻ｔ２６を含む点灯時間が終了する時刻ｔ２７から１００ｍｓｅｃ以内の時刻である。この時刻ｔ２６は、内部周期においてこの点灯時間が終了する直前の時点の一例である。この場合、表示制御部１０３は、領域７１に表示された用紙サイズ「Ａ３」をこの用紙サイズ「Ａ４縦」に変更し、内部周期に沿って、時刻ｔ２７において、用紙サイズ「Ａ４縦」の表示を点灯状態から消灯状態に移行させる。表示制御部１０３は、時刻ｔ２７から３００ｍｓｅｃの間、用紙サイズ「Ａ４縦」が表示されない消灯状態を継続させる。時刻ｔ２７から３００ｍｓｅｃが経過した時刻ｔ２９において、表示制御部１０３は、用紙サイズ「Ａ４縦」の表示を消灯状態から点灯状態に移行させる。以後、設定ボタン６１が押下されない限り、領域７１に表示された用紙サイズ「Ａ４縦」は、内部周期に沿って点滅する。
【００５１】
この変形例によれば、内部周期の点灯時間の終了直前に設定ボタン６１が押下された場合には、この点灯時間から移行した消灯時間が、内部周期の消灯時間である５００ｍｓｅｃよりも小さくなる。そのため、この操作に応じて選択された用紙サイズが早く点灯状態で表示される。これにより、内部周期の点灯時間の終了直前に設定ボタン６１が押下された場合に、その操作に応じて選択された用紙サイズがユーザーにより視認されるタイミングが早まる。
【００５２】
変形例２
上述した実施形態において、用紙サイズの選択中に、定められた時間継続して、ユーザーの操作がない場合には、ユーザーの操作を介さずに、用紙サイズが設定されてもよい。
【００５３】
図１６は、この場合の用紙サイズの選択動作を示すタイミングチャートの一例を示す図である。ここでは、領域７１には、用紙サイズ「Ａ３」が内部周期に沿って点滅して表示されている場合を想定する。用紙サイズ「Ａ３」の表示が点灯状態である点灯期間内の時刻ｔ３０において、設定ボタン６１が押下されると、選択部１０２は、次の用紙サイズ「Ａ４縦」を選択する。この場合、表示制御部１０３は、領域７１に表示された用紙サイズ「Ａ３」をこの用紙サイズ「Ａ４縦」に変更する。この用紙サイズ「Ａ４縦」は、内部周期に沿って点滅する。時刻ｔ３０から第１猶予時間が経過するまでの間、ユーザーにより操作が行われない場合（予め定められた条件を満たす場合の一例）、第１猶予時間が経過した時刻ｔ３１において、表示制御部１０３は、この用紙サイズ「Ａ４横」を内部周期よりも短い周期に沿って予め定められた回数点滅させる。この周期は、例えば点灯時間「３００ｍｓｅｃ」と消灯時間「３００ｍｓｅｃ」とを交互に繰り返す周期である。この予め定められた回数は、例えば１回であってもよいし、数回であってもよい。この点滅が終了した時刻ｔ３２から第２猶予時間が経過するまでの間、ユーザーにより操作が行われない場合、第２猶予時間が経過すると、設定部１０４は、最後に選択された用紙サイズ「Ａ４縦」を設定する。この第２猶予時間は、上述した第１猶予時間と同じであってもよいし、異なっていてもよい。
【００５４】
図１７は、この場合の用紙サイズの選択動作を示すタイミングチャートの別の例を示す図である。ここでは、領域７１には、用紙サイズ「Ａ３」が内部周期に沿って点滅して表示されている場合を想定する。上述した図１１及び１２に示す例のように、ユーザーは、設定ボタン６１を長押しすることにより、用紙サイズを選択する。設定ボタン６１が長押しされている間、複数の用紙サイズが５００ｍｓｅｃ毎に順番に選択される。具体的には、用紙サイズ「Ａ３」の表示が点灯状態である点灯期間内の時刻ｔ３０において、設定ボタン６１が押下されると、選択部１０２は、次の用紙サイズ「Ａ４縦」を選択する。この場合、表示制御部１０３は、領域７１に表示された用紙サイズ「Ａ３」をこの用紙サイズ「Ａ４縦」に変更する。時刻ｔ３０から５００ｍｓｅｃ経過した時刻ｔ３３において、選択部１０２は、次の用紙サイズ「Ａ４横」を選択する。この場合、表示制御部１０３は、領域７１に表示された用紙サイズ「Ａ４縦」をこの用紙サイズ「Ａ４横」に変更する。時刻ｔ３４において、設定ボタン６１の長押しが終了すると（予め定められた条件を満たす場合の一例）、表示制御部１０３は、用紙サイズ「Ａ４横」の表示を点灯状態から消灯状態に移行させる。表示制御部１０３は、この用紙サイズ「Ａ４縦」を内部周期よりも短い周期に沿って予め定められた回数点滅させる。この周期は、例えば点灯時間「３００ｍｓｅｃ」と消灯時間「３００ｍｓｅｃ」とを交互に繰り返す周期である。この予め定められた回数は、例えば１回であってもよいし、数回であってもよい。この点滅が終了した時刻ｔ３５から猶予時間が経過するまでの間、ユーザーにより操作が行われない場合、時刻ｔ３５から猶予時間が経過した時刻ｔ３６において、設定部１０４は、最後に選択された用紙サイズ「Ａ４横」を設定する。
【００５５】
この変形例によれば、ユーザーが用紙サイズを確定する操作を行わなくても用紙サイズが自動的に設定されるため、用紙サイズを設定する操作の手間が省かれる。
【００５６】
変形例３
上述した実施形態において、ユーザーインタフェース部５０は、専用の制御部を備えていてもよい。この専用の制御部は、例えば上述した制御部１０と同様の構成を備える。この場合、受付部１０１、選択部１０２、表示制御部１０３、及び設定部１０４の少なくとも一部は、この専用の制御部により実現されてもよい。
【００５７】
変形例４
上述した実施形態では、本発明を画像処理装置１に適用した例について説明したが、本発明は他の装置に適用されてもよい。この場合、設定値は、画像処理の条件を示す値に限定されず、他の装置の動作条件を示す値等、どのような値であってもよい。
【００５８】
変形例５
画像処理装置１において行われる処理のステップは、上述した実施形態で説明した例に限定されない。この処理のステップは、矛盾のない限り、入れ替えられてもよい。本発明は、画像処理装置１において行われる処理のステップを備える方法として提供されてもよい。
【００５９】
変形例６
本発明は、プロセッサーにより実行されるプログラムとして提供されてもよい。このプログラムは、インターネットなどの通信回線を介してダウンロードされてもよい。また、このプログラムは、磁気記録媒体（磁気テープ、磁気ディスクなど）、光記録媒体（光ディスクなど）、光磁気記録媒体、半導体メモリーなどの、コンピュータが読取可能な記録媒体に記録した状態で提供されてもよい。
【符号の説明】
【００６０】
１：画像処理装置、１０１：受付部、１０２：選択部、１０３：表示制御部、１０４：設定部
【図１】
2018154026.tif 000003
【図２】
2018154026.tif 000004
【図３】
2018154026.tif 000005
【図４】
2018154026.tif 000006
【図５】
2018154026.tif 000007
【図６】
2018154026.tif 000008
【図７】
2018154026.tif 000009
【図８】
2018154026.tif 000010
【図９】
2018154026.tif 000011
【図１０】
2018154026.tif 000012
【図１１】
2018154026.tif 000013
【図１２】
2018154026.tif 000014
【図１３】
2018154026.tif 000015
【図１４】
2018154026.tif 000016
【図１５】
2018154026.tif 000017
【図１６】
2018154026.tif 000018
【図１７】
2018154026.tif 000019